(57)【要約】【課題】輻射型ストーブにおいて、暖房エリヤの高温暖房エリヤを変更自在とすること。【解決手段】直管ヒータを熱源とし、ケース内に位置して直管ヒータの後方に反射板と装備した輻射型ストーブにおいて、直管ヒータの前方に、複数枚の帯状反射板と、該帯状反射板の取付角度を変更自在に支持する帯状反射板支持装置とを含む照射方向変更装置を装備し、ストーブ前面からのヒータ照射光の照射方向を、変更自在とすることを特徴とする輻射型ストーブ。【選択図】図５
2009145002.tif 000002
【特許請求の範囲】
【請求項１】
直管ヒータを熱源とし、ケース内に位置して直管ヒータの後方に反射板と装備した輻射型ストーブにおいて、
直管ヒータの前方に、その反射角度を変更自在とする複数枚の帯状反射板を設け、
前記帯状反射板による屈折角度の変更により、暖房エリヤに向け照射されるヒータ照射光の範囲を変化させて、暖房エリヤの高温暖房エリヤを変更自在とすることを特徴とする輻射型ストーブ。
【請求項２】
複数枚の帯状反射板について、横方向に装備し、
帯状反射板支持装置を前記帯状反射板の幅方向を、上向・水平・下向きに変更自在とする構成として、ヒータ照射光の照射方向を変更自在とすることを特徴とする請求項１に記載する輻射型ストーブ。
【請求項３】
複数枚の帯状反射板について、縦方向に装備し、
帯状反射板支持装置を前記帯状反射板の幅方向を、右向・前面方向・左向きに変更自在とする構成として、ヒータ照射光の照射方向を変更自在とすることを特徴とする請求項１に記載する輻射型ストーブ。
【請求項４】
直管ヒータを熱源とし、ケース内に位置して直管ヒータの後方に反射板と装備した輻射型ストーブにおいて、
直管ヒータの前方に、その反射角度を変更自在とする複数枚の帯状反射板を設け、
前記帯状反射板による屈折角度の変更により、暖房エリヤに向け照射されるヒータ照射光の範囲を変化させて、暖房エリヤの高温暖房エリヤを変更自在とするとともに、
複数枚の帯状反射板の一方向傾斜角を45度以下との他方向の傾斜角を45度以下としたことを特徴とする、輻射型ストーブ。
【請求項５】
直管ヒータを熱源とし、ケース内に位置して直管ヒータの後方に反射板と装備した輻射型ストーブにおいて、
直管ヒータの前方に、その反射角度を変更自在とする複数枚の帯状反射板を設け、
複数枚の帯状反射板の相互間隔を、帯状反射板の幅よりも大としたこと
を特徴とする、輻射型ストーブ。
【発明の詳細な説明】
【技術分野】
【０００１】
本発明は放射熱の強い輻射により急速に暖をとる輻射型ストーブに関する。
【背景技術】
【０００２】
この種の輻射型ストーブは、直管ヒータ(中空の耐熱ガラスパイプ（石英管）内にニクロム線を挿入した所謂石英管ヒータ、棒状の炭素系抵抗発熱体等)を熱源とし、ケース内に直管ヒータの後方に取付けた反射板と、直管ヒータの前方に取付けた網目ガードを装備している。
【特許文献１】特開昭６３-２９４４２４号
【特許文献２】特開２００４-２７１１４８号
【発明の開示】
【発明が解決しようとする課題】
【０００３】
前記輻射型ストーブは、反射板による反射で直管ヒータの照射光は前面に向け集中している。
また、特許文献１(特開昭６３-２９４４２４号)「電気ヒータ」には、アルミ製ハニカム部材が付設されて、２次輻射を発生させている。しかし、照射方向は一定で暖房範囲は一定である。
よって、本願発明は、所望に応じて照射方向(高温暖房範囲)を変更自在とすることを課題とする。
【課題を解決するための手段】
【０００４】
本発明は、直管ヒータを熱源とし、ケース内に位置して直管ヒータの後方に反射板と装備した輻射型ストーブにおいて、直管ヒータの前方に、その反射角度を変更自在とする複数枚の帯状反射板を設け、前記帯状反射板による屈折角度の変更により、暖房エリヤに向け照射されるヒータ照射光の範囲を変化させて、暖房エリヤの高温暖房エリヤを変更自在とする。
【０００５】
(発明の作用)
帯状反射板による屈折角度の変更により、ヒータ照射光の照射方向を変更する。
【発明の効果】
【０００６】
本発明は、照射方向変更装置の操作で、ヒータ照射光の照射方向を簡単に変更するので、高温暖房範囲を上下方向に、または左右方向に、簡単な操作で適宜変更することができる。
【発明を実施するための最良の形態】
【０００７】
本発明の実施例を図面に基づいて説明する。
【０００８】
図1は本発明の輻射型ストーブの斜視図、図2は正面図、図３は縦断面図、図４は横断面図である・
【０００９】
図１ないし図４を参照して、1は直管ヒータ、２は反射板、３は本体ケース、４は網目ガード、５は支持台である。
【００１０】
本願発明は、輻射型ストーブにおいて、ケース内に位置して直管ヒータ1の前方に、その反射角度を変更自在とする複数枚の帯状反射板6を設けるものである。
【００１１】
前記帯状反射板6によるヒータ照射光の屈折および屈折角度の変更を行うための、帯状反射板支持装置10について、以下図５ないし図１０を参照して説明する。
【００１２】
図5を参照して、本体ケース3の前面3Aに装着される枠ケース１１の垂直壁11Aに支持孔12を形成する。
【００１３】
帯状反射板6は、アルミ板、ステンレス金属板等の表面を鏡面とする金属板が望ましいが、耐熱性合成樹脂成型製品にアルミ金属粉の吹付け・塗装、金属メッキ等により表面鏡面加工した耐熱性合成樹脂成型製品とすることもでき、表面を鏡面とし光線反射の機能を有するものであれば、適宜の材質のものを使用できるものである。
【００１４】
帯状反射板6の両端に、支軸片７を突出させ、該支軸片７を垂直壁11Aの支持孔１２に挿入して遊合状態とすることで、帯状反射板6を回動自在に枠ケース１１で支持する。
【００１５】
帯状反射板6の一端部に、回動操作片１３を固定する。
【００１６】
各回動操作片１３の延長端部に、操作支軸13Aを形成する。
【００１７】
各帯状反射板6に対し直交方向に位置させて、帯状反射板操作板１４を設ける。
【００１８】
帯状反射板操作板１４の取付孔１５に操作支軸13Aを挿入しその突出端部を拡大部１６とすることで、操作支軸13Aの抜け止め構造として、帯状反射板操作板１４と複数枚の帯状反射板6とを一体化することで、帯状反射板支持装置10を完成する。
【００１９】
つぎに、図１１ないし図１４を参照して、帯状反射板の作用を説明する。
【００２０】
図１1は、帯状反射板を水平状態とした場合を示し、隣接する上下の帯状反射板の間の空間を通過するヒータ照射光(照射方向Ｋ00)が中心である。帯状反射板６の上面および下面で反射するヒータ照射光が加算されるが省略する。
【００２１】
上記の図１１の状態について、図１4 の試験例による測定点Ｑの温度分布は下記の通り。
上(イ点)：59.4℃  
下(ロ点)：61.5℃  
差異：2.1℃  
【００２２】
図１2は帯状反射板を下向き傾斜の場合を示し、帯状反射板６で反射するヒータ照射光(照射方向ＫA)が中心で、隣接する上下の帯状反射板の間の空間を通過するヒータ照射光(照射方向ＫA0)が加算される。暖房エリヤの上下の温度差は他より顕著に大である。
水平方向のヒーター照射光も存在するが省略する。
【００２３】
上記の図１２の状態について、図１4 の試験例による測定点Ｑの温度分布は下記の通り。
上(イ点)：55.0℃  
下(ロ点)：59.8℃  
差異：4.8℃  
【００２４】
図１3 は、帯状反射板を上向き傾斜の場合を示し、帯状反射板６で反射するヒータ照射光(照射方向ＫB)が中心で、隣接する上下の帯状反射板の間の空間を通過するヒータ照射光(照射方向ＫB0)が加算される。
水平方向のヒーター照射光も存在するが省略する。
暖房エリヤの上下の温度差は中間である。
【００２５】
上記の図１３の状態について、図１4 の測定例による測定点Ｑの温度分布は下記の通り。
上(イ点)：56.6℃  
下(ロ点)：53.5℃  
差異：3.1℃  
【００２６】
図１1、図１２、図１３についての、上述の測定データは、足元暖房時には、図１２の帯状反射板を下向き傾斜が有効である「下(ロ点)-最大：差異-最大」ことを示している。
【００２７】
実施例においては、複数枚の帯状反射板について、横方向に装備し、帯状反射板支持装置を前記帯状反射板の幅方向を、上向・水平・下向きに変更自在とする構成を示している。
しかし、複数枚の帯状反射板について、縦方向に装備し、帯状反射板支持装置を前記帯状反射板の幅方向を、右向・前面方向・左向きに変更自在とする構成としも、本発明の目的を達成できるものである。
【００２８】
この場合には、右側または左側を高温暖房エリヤに設定することができる。
【００２９】
また、実施例においては、複数枚の帯状反射板の一方向傾斜角αを45度以下との他方向の傾斜角βを45度以下とした。このことで、ヒータ照射光の屈折範囲を制限するとともに、２度屈折を防止する構成とした。
【００３０】
また、複数枚の帯状反射板の相互間隔ｌを、帯状反射板の幅Ｌよりも大とした。このことで、屈折することなく、直進するヒータ照射光を、ヒータ前面の一定範囲について確保した。
【００３１】
複数枚の帯状反射板の一方向傾斜角α、他方向の傾斜角β、帯状反射板の相互間隔ｌ、帯状反射板の幅Ｌ等は、所望の高温暖房範囲、暖房範囲、最高温度に対応すべく、適宜設定されるものである。
【００３２】
帯状反射板の中央部の厚さを増大させて、表裏両面を断面円弧形状としてもよいものである。
【図面の簡単な説明】
【００３３】
【図１】本願発明の実施例を示す輻射型ストーブの斜視図である。
【図２】同じく正面図である。
【図３】同じく縦断面図である。
【図４】同じく断面図である。
【図５】本願発明の帯状反射板支持装置の斜視図である。
【図６】同じく正面図である。
【図７】同じく横断面図である。
【図８】同じく左側面図である。
【図９】同じく右側面図である。
【図１０】図6のS-S線による縦断面図である。
【図１１】帯状反射板支持装置の帯状反射板を水平状態とした場合について、ヒータ照射光(照射方向Ｋ00)の説明図である。
【図１２】帯状反射板支持装置の帯状反射板を下向傾斜状態とした場合について、ヒータ照射光(照射方向ＫA)の説明図である。
【図１３】帯状反射板支持装置の帯状反射板を上向傾斜状態とした場合について、ヒータ照射光(照射方向ＫA)の説明図である。
【図１４】本願発明によるヒータ照射光の照射方向の変化、高温暖房範囲の変化を示す説明図である。
【符号の説明】
【００３４】
１    直管ヒータ
２    反射板
３    本体ケース
４    網目ガード
５    支持台
６    帯状反射板
10    帯状反射板支持装置
13    回動操作片
14    帯状反射板操作板
【図１】
2009145002.tif 000003
【図２】
2009145002.tif 000004
【図３】
2009145002.tif 000005
【図４】
2009145002.tif 000006
【図５】
2009145002.tif 000007
【図６】
2009145002.tif 000008
【図７】
2009145002.tif 000009
【図８】
2009145002.tif 000010
【図９】
2009145002.tif 000011
【図１０】
2009145002.tif 000012
【図１１】
2009145002.tif 000013
【図１２】
2009145002.tif 000014
【図１３】
2009145002.tif 000015
【図１４】
2009145002.tif 000016